(57)【要約】【課題】室内機本体から前面パネルを取り外すときに、破損を招くことなく、前面パネルを簡単に取り外すことができる空気調和機を提供する。【解決手段】前面パネル４の裏面４０かつ上側に、室内機本体１の開口９内に向かって延びるアーム２０を突設し、そのアーム２０の先端側に、開口９の開口面に平行にかつ水平方向に延びる軸３０を設ける。室内機本体１の開口９内に、軸３０を回動自在に支持する軸受け部１０を設ける。そして、前面パネル４が軸３０を中心に回動して室内機本体１に対して所定の角度をなす全開状態を越えて前面パネル４をさらに開くとき、アーム２０に設けられたリブ２３が室内機本体１の開口９内に設けられた壁部２４に当接することによって、軸３０が軸受け部１０から水平方向に外れる向きにアーム２０を弾性変形させる。【選択図】図１
2008215690.tif 000002
【特許請求の範囲】
【請求項１】
室内機本体(１)と、この室内機本体(１)の前面側の開口(９)を覆うように開閉自在かつ着脱自在に取り付けられた前面パネル(４)とを備えた空気調和機であって、
上記前面パネル(４)の裏面(４０)かつ上側に、上記室内機本体(１)の上記開口(９)内に向かって延びるアーム(２０)が突設され、
上記アーム(２０)の先端側に、上記開口(９)の開口面に平行にかつ水平方向に延びる軸(３０)が設けられ、
上記室内機本体(１)の上記開口(９)内に、上記軸(３０)を回動自在に支持する軸受け部(１０)を設け、
上記前面パネル(４)を上記軸(３０)を中心に回動させて上記室内機本体(１)に対して所定の角度をなす全開状態に開いた後、さらに上記全開状態を越えて上記前面パネル(４)を開くとき、上記アーム(２０)に設けられたリブ(２３)が上記室内機本体(１)の上記開口(９)内に設けられた壁部(２４)に当接することによって、上記軸(３０)が上記軸受け部(１０)から水平方向に外れる向きに上記アーム(２０)を弾性変形させることを特徴とする空気調和機。
【請求項２】
請求項１に記載の空気調和機において、
上記アーム(２０)の上記リブ(２３)に、上記アーム(２０)側から上記リブ(２３)の先端側に向かって傾斜するリブ側テーパー部(２３a)を設け、
上記前面パネル(４)を上記全開状態からさらに開いたとき、上記アーム(２０)の上記リブ(２３)の上記リブ側テーパー部(２３a)が上記室内機本体(１)の上記壁部(２４)に当接しながら、上記軸(３０)が上記軸受け部(１０)から水平方向に外れる向きに上記アーム(２０)を徐々に弾性変形させることを特徴とする空気調和機。
【請求項３】
請求項１に記載の空気調和機において、
上記アーム(２０)に設けられた上記リブ(２３)が上記室内機本体(１)の上記開口(９)内に設けられた上記壁部(２４)に当接したとき、上記前面パネル(４)の上縁(４１)が上記室内機本体(１)の上記開口(９)の上縁(２e)よりも上方の部分(２a)に当接して、上記前面パネル(４)の上縁(４１)を支点にして上記軸受け部(１０)から上記軸(３０)が抜ける方向に力が作用することを特徴とする空気調和機。
【請求項４】
請求項１に記載の空気調和機において、
上記前面パネル(４)が上記全開状態を作るべき姿勢で上記室内機本体(１)に対して前方から後方へ押し込まれて取り付けられるとき、上記軸(３０)の先端外周部のうち後方を向く位置に、上記軸(３０)が上記周縁(１３)に達するまでの間、上記軸受け部(１０)の上記周縁(１３)よりも前方に相当する部分(１２f)に当接して、上記軸(３０)が上記軸受け部(１０)から外れる向きと同じ向きに上記アーム(２０)を弾性変形させる軸側テーパー部(３３)が形成されていることを特徴とする空気調和機。
【発明の詳細な説明】
【技術分野】
【０００１】
この発明は空気調和機に関し、より詳しくは、据付や移設等の便宜のために、室内機本体に対して着脱される前面パネルを備えた空気調和機に関する。
【背景技術】
【０００２】
この種の空気調和機としては、図１０に示すように、前面パネル(図示せず)の裏面上部に、室内機本体に挿入されるアーム６６が突設され、このアーム６６に水平方向に延びる軸６５を有するものが知られている(例えば、特許文献１(特開平８−１３５９９４号公報)参照)。一方、室内機本体には、その軸６５を回動自在に支持するための軸受け部６３が設けられている。この空気調和機では、軸受け部６３には、丸穴６４と、この丸穴６４に連なる水平方向の溝８１と、この溝８１に連なる面取り部８２が設けられている。また、上記軸６５の先端には、前面パネルが本体に対して或る角度に開かれた状態で溝８１に正対する部位に、面取り９１が形成されている。
【０００３】
室内機本体に対して前面パネルを取り付けるときは、作業者は、前面パネルを手に持ち、アーム６６の軸６５を面取り部８２の位置に合わせて、前面パネルを水平方向に押し込む。これにより、アーム６６の軸６５が面取り部８２、溝８１に沿って案内されて挿入され、丸穴６４に嵌合する。しかる後、前面パネルを軸６５の周りに回転させて、室内機本体に対して前面パネルを閉じる。一方、室内機本体から前面パネルを取り外すときは、前面パネルの下側部を掴んで、手前に引くようにして持ち上げて、前面パネルを軸６５の周りに回転させて開く。前面パネルを所定の角度まで開くと、軸６５の面取り９１が溝８１に正対するとともに、凸６９によって軸６５が丸穴６４から水平方向に外れる向きにアーム６６が弾性変形する状態になる。この状態で、前面パネルを手前に引っ張ると、面取り９１が溝８１に乗り上げて、アーム６６が弾性変形した状態で、軸６５は溝８１に沿って手前に移動し、室内機本体から前面パネルが外れる。なお、凸６８は、前面パネルを途中の角度で保持するためのものである。
【特許文献１】特開平８−１３５９９４号公報
【発明の開示】
【発明が解決しようとする課題】
【０００４】
一般的に言って、空気調和機の据付や移設等に携わる作業者は、多種多様の空気調和機を取り扱う。このため、作業者は、機種毎の正確な取り外し方法を把握することなく、室内機本体から前面パネルを取り外そうとする場合がある。
【０００５】
ここで、従来例の空気調和機では、前面パネルの取り外しのために、軸６５の周りの前面パネルの回転と前面パネルの水平方向の移動というような異種の操作を必要とする。このため、予め正確な取り外し方法を把握しておかなければ、なかなか前面パネルを取り外すことができない。この結果、作業者が前面パネルに過度な力を加えて、アーム６６を破損してしまう、という問題がある。
【０００６】
そこで、この発明の課題は、室内機本体から前面パネルを取り外すときに、破損を招くことなく、前面パネルを簡単に取り外すことができる空気調和機を提供することにある。
【課題を解決するための手段】
【０００７】
上記課題を解決するため、この発明の空気調和機は、
室内機本体と、この室内機本体の前面側の開口を覆うように開閉自在かつ着脱自在に取り付けられた前面パネルとを備えた空気調和機であって、
上記前面パネルの裏面かつ上側に、上記室内機本体の上記開口内に向かって延びるアームが突設され、
上記アームの先端側に、上記開口の開口面に平行にかつ水平方向に延びる軸が設けられ、
上記室内機本体の上記開口内に、上記軸を回動自在に支持する軸受け部を設け、
上記前面パネルを上記軸を中心に回動させて上記室内機本体に対して所定の角度をなす全開状態に開いた後、さらに上記全開状態を越えて上記前面パネルを開くとき、上記アームに設けられたリブが上記室内機本体の上記開口内に設けられた壁部に当接することによって、上記軸が上記軸受け部から水平方向に外れる向きに上記アームを弾性変形させることを特徴とする。
【０００８】
この発明の空気調和機では、上記前面パネルが室内機本体に対して閉状態から所定角度をなす全開状態まで開かれるとき、軸が軸受け部に支持された状態で前面パネルは軸の周りに回転する。上記前面パネルが室内機本体に対して全開状態からさらに開くとき、アームに設けられたリブが室内機本体の開口内に設けられた壁部に当接することによって、軸が軸受け部から水平方向に外れる向きにアームを弾性変形させる。したがって、前面パネルの全開状態から、作業者が前面パネルを取り外そうとして前面パネルに対して少し余分な力を加えると、軸が軸受け部から容易に外れる。したがって、作業者が予め正確な取り外し方法を知らなくても、破損を招くことなく、室内機本体から前面パネルを簡単に取り外すことができる。この結果、サービス交換のためのコストが削減される。
【０００９】
一実施形態の空気調和機では、
上記アームの上記リブに、上記アーム側から上記リブの先端側に向かって傾斜するリブ側テーパー部を設け、
上記前面パネルを上記全開状態からさらに開いたとき、上記アームの上記リブの上記リブ側テーパー部が上記室内機本体の上記壁部に当接しながら、上記軸が上記軸受け部から水平方向に外れる向きに上記アームを徐々に弾性変形させることを特徴とする。
【００１０】
この一実施形態の空気調和機では、上記前面パネルを全開状態からさらに開くとき、アームのリブのリブ側テーパー部が室内機本体の壁部に当接しながら、軸が軸受け部から水平方向に外れる向きにアームが徐々に弾性変形するので、アームの先端側の軸が軸受け部からスムーズに外れる。
【００１１】
一実施形態の空気調和機では、上記アームに設けられた上記リブが上記室内機本体の上記開口内に設けられた上記壁部に当接したとき、上記前面パネルの上縁が上記室内機本体の上記開口の上縁よりも上方の部分に当接して、上記前面パネルの上縁を支点にして上記軸受け部から上記軸が抜ける方向に力が作用することを特徴とする。
【００１２】
この一実施形態の空気調和機では、上記アームに設けられたリブが室内機本体の開口内に設けられた壁部に当接したとき、前面パネルの上縁が室内機本体の開口の縁よりも上方の部分に当接して、前面パネルの上縁を支点にして軸受け部から軸が抜ける方向に力が作用する。したがって、作業者が前面パネルを取り外そうとして前面パネルを開く向きに少し余分な力を加えると、それよりも大きな力が軸に加わって、軸が軸受け部から容易に離脱する。したがって、前面パネルをさらに簡単に取り外しできる。
【００１３】
一実施形態の空気調和機では、上記前面パネルが上記全開状態を作るべき姿勢で上記室内機本体に対して前方から後方へ押し込まれて取り付けられるとき、上記軸の先端外周部のうち後方を向く位置に、上記軸が上記周縁に達するまでの間、上記軸受け部の上記周縁よりも前方に相当する部分に当接して、上記軸が上記軸受け部から外れる向きと同じ向きに上記アームを弾性変形させる軸側テーパー部が形成されていることを特徴とする。
【００１４】
この一実施形態の空気調和機では、上記前面パネルが上記全開状態を作るべき姿勢で上記室内機本体に対して前方から後方へ押し込まれて取り付けられるとき、上記軸が上記周縁に達するまでの間、上記軸の先端外周部に形成された軸側テーパー部が、上記軸受け部の上記周縁よりも前方に相当する部分に当接して、上記軸が上記軸受け部から外れる向きと同じ向きに上記アームを弾性変形させる。したがって、室内機本体に対して前面パネルを容易に取り付けることができる。
【発明の効果】
【００１５】
以上より明らかなように、この発明の空気調和機によれば、室内機本体から前面パネルを取り外すときに、破損を招くことなく、前面パネルを簡単に取り外すことができる空気調和機を実現することができる。
【００１６】
また、一実施形態の空気調和機によれば、上記前面パネルを全開状態からさらに開くとき、アームのリブのリブ側テーパー部が室内機本体の壁部に当接しながら、軸が軸受け部から水平方向に外れる向きにアームが徐々に弾性変形するので、アームの先端側の軸が軸受け部からスムーズに外れる。
【００１７】
また、一実施形態の空気調和機によれば、上記アームに設けられたリブが室内機本体の上記開口内に設けられた壁部に当接したとき、前面パネルの上縁が室内機本体の開口の縁よりも上方の部分に当接して、前面パネルの上縁を支点にして軸受け部から軸が抜ける方向に力が作用することによって、前面パネルをさらに簡単に取り外しできる。
【００１８】
また、一実施形態の空気調和機によれば、前面パネルが全開状態を作るべき姿勢で室内機本体に対して前方から後方へ押し込まれて取り付けられるとき、軸が周縁に達するまでの間、軸の先端外周部に形成された軸側テーパー部が、軸受け部の周縁よりも前方に相当する部分に当接して、軸が軸受け部から外れる向きと同じ向きにアームを弾性変形させることによって、室内機本体に対して前面パネルを容易に取り付けることができる。
【発明を実施するための最良の形態】
【００１９】
以下、この発明を図示の実施の形態により詳細に説明する。
【００２０】
図１はこの発明の一実施形態の空気調和機の壁掛形の室内機の室内機本体と前面パネルとの着脱に関する部分を示す断面図を示し、図２はこの室内機(右半分)を前方(−Ｘ側)から見たところを示している。また、図３は、図２のものを右側方(−Ｙ側)から見たところを示している。図２および図３から分かるように、この空気調和機は、室内機本体１と、この室内機本体１の前面側の開口９を覆うように開閉自在かつ着脱自在に取り付けられた前面パネル４とを備えている。図２および図３では、前面パネル４は、室内機本体１に対して所定の角度として略９０°の開き角に開かれ、略水平の姿勢をとった全開状態にある。前面パネル４が室内機本体１に対して閉じられて略鉛直の姿勢をとったときに、室内機前面３の開口９は前面パネル４によって塞がれるようになっている。室内機本体１の上面２には、室内の空気を吸い込むためのグリル(図示せず)が形成されている。
【００２１】
図１に示すように、前面パネル４の裏面４０かつ上側に、室内機本体１の室内機前面３の開口９内に向かって延びるアーム２０を突設している。なお、図１は図２におけるＡ−Ａ線矢視断面に相当する。このアーム２０は、前面パネル４の裏面４０に対して略垂直に延びる先細の第１アーム部分２１と、この第１アーム部分２１に対して略９０°屈曲して前面パネル４の上縁４１と略対応する位置まで延びる第２アーム部分２２とからなっている。この第２アーム部分２２の先端に、開口９の開口面に平行にかつ水平方向に延びる軸３０が設けられている。また、上記アーム２０の第１アーム部分２１と第２アーム部分２２との連結部分に、軸３０と同一の方向に突出する側面形状が台形のリブ２３を設けている。上記リブ２３は、第１アーム部分２１側にリブ側テーパー部２３aを有している。
【００２２】
図４は図１に示す前面パネル４から延びるアーム２０先端の軸３０の拡大斜視図を示している。図４に示すように、第２アーム部分２２の先端側に設けられた軸３０は、基本的には、外周面３０ｓと端面３０eとで定まる短円柱に、それぞれ軸心に対して傾斜した平坦面からなる軸側テーパー部の一例としての面取り３３を形成して得られた外形を有している。端面３０eと各面取り３３との間の境界にはそれぞれアール３５が設けられ、外周面３０ｓと３３との間の境界にはそれぞれアール３６が設けられている。
【００２３】
これらのアーム２０と軸３０およびリブ２３は、前面パネル４の裏面の上部に、左右対称に一対設けられている。前面パネル４と、一対のアーム２０と軸３０およびリブ２３は、一体成形された樹脂からなっている。また、リブ２３に対向する室内機本体１側に、リブ２３の突出方向と逆方向に突出する壁部２４を設けている。
【００２４】
図１に示すように、室内機本体１は、軸３０を回動自在に支持するための軸受け部１０を備えている。この軸受け部１０は、前方(−Ｘ方向)へ窪むように湾曲した半円状の周縁１３を有する案内板１２と、この案内板１２の後方に配置された水平方向(Ｙ方向)に延びる規制部材１１(図１０参照)とを含んでいる。案内板１２は、図５(図３中のＢ−Ｂ線矢視断面に相当する)に示すように、後方(＋Ｘ方向)へ向かってアーム２０に近づく向きに傾斜した斜面１２fを有している。周縁１３は、案内板１２の斜面１２fの後方に位置する。図１に示すように、前面パネル４が室内機本体１に対して取り付けられているとき、案内板１２の周縁１３は軸３０を回動自在に支持する。規制部材１１は、第２アーム部分２２の先端が後方(＋Ｘ方向)へ移動するのを規制することで、軸３０が案内板１２の周縁１３に嵌合した位置から後方(＋Ｘ方向)へ離脱するのを規制する。
【００２５】
上記軸受け部１０は、前面パネル４の一対のアーム２０および軸３０に対応して、室内機本体１内の上部に、左右対称に一対設けられている。
【００２６】
軸３０の軸側テーパー部である面取り３３は、図１に示すように、前面パネル４が全開状態にあるとき、軸３０の先端外周部のうち後方(＋Ｘ方向)を向く位置に形成されている。
【００２７】
室内機本体１に対して前面パネル４を取り付けるときは、作業者は、前面パネル４を水平な姿勢にして手に持ち、図６に示すように、軸３０を案内板１２の斜面１２fの位置に合わせて、前面パネル４を前方から後方へ水平方向に押し込む。これにより、軸３０の面取り３３(図１参照)が案内板１２の斜面１２fに沿って案内されて挿入され、図５に示すように、周縁１３に嵌合する。
【００２８】
この軸３０が周縁１３に達するまでの間、軸３０の先端外周部に形成された軸側テーパー部である面取り３３が、軸３０が軸受け部１０から外れる向きと同じ向きにアーム２０を弾性変形させる。したがって、室内機本体１に対して前面パネル４を容易に取り付けることができる。
【００２９】
しかる後、軸３０が軸受け部１０に支持された状態で、前面パネル４が軸３０の周りに回転されて、室内機本体１に対して前面パネル４が閉じられる。
【００３０】
一方、室内機本体１から前面パネル４を取り外すときは、図１に示すように、作業者は、前面パネル４の下側部４２を掴んで、外力Fを加えて手前に引くようにして持ち上げて、前面パネル４を室内機本体１に対して閉状態から全開状態まで開く。このとき、軸３０が軸受け部１０に支持された状態で、前面パネル４は軸３０の周りに容易に回転する。
【００３１】
全開状態では、前面パネル４の上縁４１は、室内機本体１の上面２のうち開口９よりも上方の部分２aに当接する。これは、そうなるように、アーム２０の長さと室内機本体１内での周縁１３の位置とが設定されているからである。アーム２０と開口９の上縁２eとの間には隙間９aが残るようになっている。したがって、前面パネル４の上縁４１やアーム２０と開口９の上縁２eとが衝突して破損するようなおそれが無い。
【００３２】
なお、この全開状態では、室内機本体１とアーム２０との間に設けられた図示しないリブからなる係合部によって、前面パネル４が支持されている。したがって、作業者が前面パネル４から手を離しても、前面パネル４の姿勢が全開状態に維持される。
【００３３】
次に、図７に示すように、作業者が前面パネル４を室内機本体１に対して全開状態からさらに開こうとすると、前面パネル４の上縁４１が支点となって、前面パネル４が受ける外力Fに応じた下向きの力F１が軸３０に作用する。これにより、アーム２０に設けられたリブ２３のリブ側テーパー部２３aが、室内機本体１側の壁部２４に当接する。この結果、軸３０が軸受け部１０から水平方向に外れる向きにアーム２０が弾性変形して、前面パネル４は全開状態から少し開く。
【００３４】
この状態から、図８に示すように、作業者が前面パネル４を室内機本体１に対してさらに開こうとすると、前面パネル４の上縁４１が支点となって、前面パネル４が受ける外力Fに応じた前向きの力F２が軸３０に作用する。このとき、アーム２０に設けられたリブ２３の先端が、室内機本体１側の壁部２４に当接することにより、軸３０が軸受け部１０から水平方向に外れる向きにアーム２０がさらに弾性変形して、軸３０が軸受け部１０から離脱する。
【００３５】
このように、前面パネル４の全開状態から、作業者が前面パネル４を取り外そうとして前面パネル４に対して少し余分な力を加えると、軸３０が軸受け部１０から容易に外れる。また、前面パネル４の上縁４１が支点となって、外力Fよりも大きな力が軸３０に加わるから、軸３０が軸受け部１０からさらに容易に外れる。したがって、室内機本体１から前面パネル４を簡単に取り外しできる。しかも、室内機本体１に対して前面パネル４を開く向きに回転させる１種類の操作だけで、室内機本体１から前面パネル４が外れる。したがって、前面パネル４をさらに簡単に取り外しできる。しかも、前面パネル４が室内機本体１に対して全開状態からさらに開かれるとき、前面パネル４の上縁４１やアーム２０と開口９を定める縁２eとが衝突して破損するようなおそれが無い。
【００３６】
このように、この空気調和機によれば、作業者が予め正確な取り外し方法を知らなくても、破損を招くことなく、室内機本体１から前面パネル４を簡単に取り外すことができる。この結果、サービス交換のためのコストを削減できる。
【００３７】
なお、既述のリブ２３や壁部２４に相当するものが形成されていなければ、例えば図９に示すように、前面パネル４が受ける外力Fに応じた前向きの力F２が軸３０に作用したとしても、軸３０が周縁１３から離脱することはない。したがって、本発明による好ましい作用効果を得ることができない。
【００３８】
上述の実施形態では、面取り３３はそれぞれ軸心に対して傾斜した平坦面であるものとしたが、当然ながらこれに限られるものではない。
【００３９】
また、この発明の空気調和機としては、
室内機本体とこの室内機本体に対して着脱される前面パネルとを備えた空気調和機であって、
上記前面パネルは、上記室内機本体に挿入されるように裏面に突設されたアームを備え、このアームに水平方向に延びる軸が設けられ、
上記室内機本体は、上記軸を回動自在に支持するための、前方へ窪むように湾曲した周縁を少なくとも有する軸受け部を備え、
上記前面パネルが上記室内機本体に対して或る開き角をなす全開状態を越えてさらに開く向きに外力を受けたとき、上記軸の先端外周部のうち上記周縁の下部に面する部位に、上記周縁の下部に当接することによって上記軸が上記軸受け部から水平方向に外れる向きに上記アームを弾性変形させる第１の面取りが形成されてもよい。
【００４０】
この空気調和機では、上記前面パネルが室内機本体に対して閉状態から或る開き角をなす全開状態まで開かれるとき、軸が軸受け部に支持された状態で、前面パネルは軸の周りに回転する。前面パネルが室内機本体に対して全開状態からさらに開かれるとき、軸の先端外周部に形成された第１の面取りが、周縁の下部に当接することによって軸が軸受け部から水平方向に外れる向きにアームを弾性変形させる。したがって、前面パネルの全開状態から、作業者が前面パネルを取り外そうとして前面パネルに対して少し余分な力を加えると、軸が軸受け部から容易に外れる。したがって、作業者が予め正確な取り外し方法を知らなくても、破損を招くことなく、室内機本体から前面パネルを簡単に取り外すことができる。この結果、サービス交換のためのコストが削減される。
【００４１】
また、上記前面パネルが上記室内機本体に対して上記全開状態からさらに開かれるとき、上記軸の先端外周部のうち上記周縁の中央部に面する部位に、上記周縁の中央部に当接することによって上記アームを弾性変形させて、上記軸を上記軸受け部から離脱させる第２の面取りが形成されてもよい。
【００４２】
この空気調和機では、上記前面パネルが室内機本体に対して全開状態からさらに開かれるとき、軸の先端外周部に形成された第２の面取りが、周縁の中央部に当接することによってアームを弾性変形させて、軸を軸受け部から離脱させる。つまり、この空気調和機では、室内機本体に対して前面パネルを開く向きに回転させる１種類の操作だけで、室内機本体から前面パネルが外れる。したがって、前面パネルをさらに簡単に取り外しできる。
【図面の簡単な説明】
【００４３】
【図１】この発明の一実施形態の空気調和機の室内機本体と前面パネルとの着脱に関する部分を示す断面図である。
【図２】上記室内機(右半分)を前方から見たところを示す図である。
【図３】図２のものを右側方から見たところを示す図である。
【図４】前面パネルから延びるアーム先端の軸の拡大斜視図である。
【図５】室内機本体と前面パネルとの着脱に関する部分を前方から見たところを示す図であって、軸が軸受け部の周縁に嵌合している状態を示すものである。
【図６】室内機本体と前面パネルとの着脱に関する部分を前方から見たところを示す図であって、軸が軸受け部の周縁から離脱している状態を示すものである。
【図７】上記前面パネルの上縁が支点となって、前面パネルが受ける外力に応じた下向きの力が軸に作用している状態を示す図である。
【図８】上記前面パネルの上縁が支点となって、前面パネルが受ける外力に応じた前向きの力が軸に作用している状態を示す図である。
【図９】アームに仮に図４の軸が設けられた場合の作用を説明する図である。
【図１０】従来の空気調和機における室内機本体と前面パネルとの着脱に関する部分を例示する図である。
【符号の説明】
【００４４】
１…室内機本体
２a…上方の部分
２e…上縁
４…前面パネル
９…開口
９a…隙間
１０…軸受け部
１１…規制部材
１２…案内板
１２f…斜面
１３…周縁
２０…アーム
２３…リブ
２３a…リブ側テーパー部
２４…壁部
３０…軸
３３…面取り
４０…裏面
４１…上縁
【図１】
2008215690.tif 000003
【図２】
2008215690.tif 000004
【図３】
2008215690.tif 000005
【図４】
2008215690.tif 000006
【図５】
2008215690.tif 000007
【図６】
2008215690.tif 000008
【図７】
2008215690.tif 000009
【図８】
2008215690.tif 000010
【図９】
2008215690.tif 000011
【図１０】
2008215690.tif 000012